(57)【要約】      （修正有）【課題】子供が自分のランドセルを識別可能な文字が表された装飾部材が着脱可能なランドセルを提供する。【解決手段】ランドセル１０は、本体１１と、本体１１に設けられた肩ベルト１２と、本体１１に設けられており、開口２０及び前面２１を覆う第１姿勢、及び開口２０及び前面２１を露出する第２姿勢に姿勢変化可能な被せ蓋１３と、本体１１に設けられており、本体１１の右側面２２及び左側面２３からそれぞれ前面２１に渡って延びる前締めベルト１５と、前締めベルト１５において前面２１に位置する連結端部３０に着脱可能な着脱ベルト１６と、着脱ベルト１６に設けられており、文字を表す装飾部材１７と、を備える。【選択図】図２
2019180852.tif 000002
【特許請求の範囲】
【請求項１】
前面、側面、及び収容空間に通ずる開口を有する本体と、
上記本体に設けられた肩ベルトと、
上記本体に設けられており、上記開口及び上記前面を覆う第１姿勢、及び上記開口及び上記前面を露出する第２姿勢に姿勢変化可能な被せ蓋と、
上記本体に設けられており、上記本体の上記側面から上記前面に渡って延びる前締めベルトと、
上記前締めベルトにおいて上記前面に位置する連結端部に着脱可能な着脱ベルトと、
上記着脱ベルトに設けられており、文字を表す装飾部材と、を備えたランドセル。
【請求項２】
上記前締めベルトの上記連結端部は、リングを有しており、
上記着脱ベルトは、上記リングに着脱可能である請求項１に記載のランドセル。
【請求項３】
上記着脱ベルトは、上記リング内に挿通されて折り返されており、折り返されている端部が、当該端部より長手方向の中央側の中央部と、着脱可能な留め具により留められている請求項２に記載のランドセル。
【請求項４】
上記本体は、上記前面に上向きに開口するポケット部を有しており、
上記着脱ベルトは、上記ポケット部の上記開口の下方に位置する請求項１から３のいずれかに記載のランドセル。
【請求項５】
上記本体、上記前締めベルト、及び上記着脱ベルトは、少なくとも同色の人工皮革を素材とするものである請求項１から４のいずれかに記載のランドセル。
【請求項６】
上記側面は、上記前面の両側に一対が位置しており、
上記前締めベルトは、上記一対の側面のそれぞれから上記前面に渡って延びる一対であり、
上記着脱ベルトは、一対の上記前締めベルトの上記連結端部それぞれに着脱可能である請求項１から５のいずれかに記載のランドセル。
【請求項７】
上記着脱ベルトに替えて、上記前締めベルトの上記連結端部に着脱可能な付替装飾部材を更に備えた請求項１から６のいずれかに機才のランドセル。
【請求項８】
上記付替装飾部材は、上記本体、上記前締めベルト、または上記着脱ベルトと同色の人工皮革を素材として有していないものである請求項７に記載のランドセル。
【発明の詳細な説明】
【技術分野】
【０００１】
本発明は、文字を表す装飾部材を備えたランドセルに関する。
【背景技術】
【０００２】
例えば、特許文献１に開示されるように、ランドセルの前段ポケットに、名札入れが設けられることがある。名札には、ランドセルの持ち主である子供の名前や住所などが記載されることが多い。
【先行技術文献】
【特許文献】
【０００３】
【特許文献１】特開２０１０−１３１０５７号公報
【発明の概要】
【発明が解決しようとする課題】
【０００４】
ランドセルに子供の名前や住所が詳細に記載されることは、子供の個人情報が漏洩するおそれあることから避けられる傾向にある。また、ランドセルの前面に名札があることは、ランドセルの意匠性を損なうこともある。他方、同様の意匠のランドセルを持つ子供が同じ学校に在籍することもあるので、子供が自分のランドセルを認識できる文字がランドセルに付されていることが望ましい。
【０００５】
子供の名前やイニシャルを文字で表す装飾部材は、ランドセルの購入前に予め付しておくことができないので、購入後に特定の文字の装飾部材を加工等して、購入されたランドセルに付することとなる。そうすると、購入後に子供が直ちにランドセルを持ち帰ることができず、購入時の満足感に欠けるという問題がある。他方、売り場において装飾部材の加工が施せるようにしておくことは、在庫管理や設備の観点から難しい。
【０００６】
また、家庭事情から子供の姓が変わった場合には、ランドセルに付された文字を変更する必要が生じる。したがって、文字の装飾部材は、ランドセルに対して着脱可能であることが望ましい。他方、簡単に着脱可能であれば、子供がランドセルを使っているときに、不用意に装飾部材がランドセルから外れて紛失するおそれがある。
【０００７】
また、特に、外国人のように、ランドセルを購入した後、再び売り場へ出向くことが難しい購入者は、文字の装飾部材を後日に入手することを望まないこともある。そうすると、装飾部材の留め具のみがランドセルにおいて露出され、意匠性が損なわれるおそれがある。
【０００８】
本発明は、上記の事情に鑑みてなされたものであり、その目的は、子供が自分のランドセルを識別可能な文字が表された装飾部材が着脱可能なランドセルを提供することにある。
【０００９】
また、本発明の他の目的は、仮に着脱ベルトが装着されずにランドセルが使用されたとしても、ランドセルの意匠性が損なわれない手段を提供することにある。
【００１０】
また、本発明の他の目的は、上記装飾部材がランドセルから容易に外れない手段を提供することにある。
【００１１】
また、本発明の更に他の目的は、仮に上記装飾部材を設けないとしても、意匠性に優れたランドセルを提供することにある。
【課題を解決するための手段】
【００１２】
(1)  本発明に係るランドセルは、前面、側面、及び収容空間に通ずる開口を有する本体と、上記本体に設けられた肩ベルトと、上記本体に設けられており、上記開口及び上記前面を覆う第１姿勢、及び上記開口及び上記前面を露出する第２姿勢に姿勢変化可能な被せ蓋と、上記本体に設けられており、上記本体の上記側面から上記前面に渡って延びる前締めベルトと、上記前締めベルトにおいて上記前面に位置する連結端部に着脱可能な着脱ベルトと、上記着脱ベルトに設けられており、文字を表す装飾部材と、を備える。
【００１３】
上記構成によれば、前締めベルトと連続する着脱ベルトに装飾部材が設けられるので、意匠性に優れる。また、着脱ベルトは、前締めベルトに対して着脱可能なので、ランドセルが購入されれば直ちに、着脱ベルト及び装飾部材以外を持ち帰ってもらうことができる。
【００１４】
(2)  好ましくは、上記前締めベルトの上記連結端部は、リングを有しており、上記着脱ベルトは、上記リングに着脱可能である。
【００１５】
上記構成によれば、前締めベルトの連結端部の意匠性に優れるので、仮に着脱ベルトが設けられていなくても、意匠性が損なわれるおそれがない。
【００１６】
(3)  好ましくは、上記着脱ベルトは、上記リング内に挿通されて折り返されており、折り返されている端部が、当該端部より長手方向の中央側の中央部と、着脱可能な留め具により留められている。
【００１７】
上記構成によれば、着脱ベルトが引っ張られたとしても、留め具が外れ難い。
【００１８】
(4)  好ましくは、上記本体は、上記前面に上向きに開口するポケット部を有しており、上記着脱ベルトは、上記ポケット部の上記開口の下方に位置する。
【００１９】
上記構成によれば、着脱ベルトの上方にポケット部の開口があるので、着脱ベルトが、ポケット部への開口を通じての物の出し入れの障害になり難く、使い勝手が良い。
【００２０】
(5)  好ましくは、上記本体、上記前締めベルト、及び上記着脱ベルトは、少なくとも同色の人工皮革を素材とするものである。
【００２１】
上記構成によれば、本体、前締めベルト、及び着脱ベルトに統一性が生じて、意匠性に優れる。
【００２２】
(6)  好ましくは、上記側面は、上記前面の両側に一対が位置しており、上記前締めベルトは、上記一対の側面のそれぞれから上記前面に渡って延びる一対であり、上記着脱ベルトは、一対の上記前締めベルトの上記連結端部それぞれに着脱可能である。
【００２３】
上記構成によれば、前締めベルト及び着脱ベルトが、左右方向に対してシンメトリーに配置されるので、意匠性に優れる。
【００２４】
(7)  好ましくは、本ランドセルは、上記着脱ベルトに替えて、上記前締めベルトの上記連結端部に着脱可能な付替装飾部材を更に備える。
【００２５】
上記構成によれば、着脱ベルトが不要な購入者に対しては、前締めベルトに付替装飾部材を付けることによって、着脱ベルトが無くても意匠性に優れる。
【００２６】
(8)  好ましくは、上記付替装飾部材は、上記本体、上記前締めベルト、または上記着脱ベルトと同色の人工皮革を素材として有していないものである。
【００２７】
上記構成によれば、付替装飾部材を、異なる色の本体や前締めベルトを有するランドセルに対して共通のものとすることができるので、ランドセルの購入者に直ちに付替装飾部材を提供することができる。
【発明の効果】
【００２８】
本発明によれば、装飾部材によって子供が自分のランドセルを識別できる。
【００２９】
また、本発明によれば、仮に着脱ベルトが装着されずにランドセルが使用されたとしても、ランドセルの意匠性が損なわれない。
【００３０】
また、本発明によれば、上記着脱ベルトがランドセルから容易に外れることがない。
【００３１】
また、本発明によれば、仮に上記着脱ベルトを設けないとしても、ランドセルの意匠性が優れる。
【図面の簡単な説明】
【００３２】
【図１】図１は、被せ蓋１３が第１姿勢であるランドセル１０の外観斜視図である。
【図２】図２は、被せ蓋１３が第２姿勢であるランドセル１０の外観斜視図である。
【図３】図３は、着脱ベルト１６及び装飾部材１７であって、オス型スナップボタン３１とメス型スナップボタン３２とが係合された状態の斜視図である。
【図４】図４は、着脱ベルト１６及び装飾部材１７であって、オス型スナップボタン３１とメス型スナップボタン３２とが係合されていない状態の正面図である。
【図５】図５は、図１における着脱ベルト１６付近の部分拡大図である。
【図６】図６は、付替装飾部材１８が装着されたランドセル１０の正面図である。
【発明を実施するための形態】
【００３３】
以下、本発明の実施形態について説明する。なお、以下に説明される実施形態は本発明の一例にすぎず、本発明の要旨を変更しない範囲で、本発明の実施形態を適宜変更できることは言うまでもない。また、ランドセル１０の底面２５が水平面上にありランドセル１０の後面２４がほぼ垂直方向に延びる図１の状態にあるときを基準として、上下方向７が定義され、装飾部材１７が設けられている側を前側として前後方向８が定義され、ランドセル１０が前面から見て左右方向９が定義される。本実施形態では、図１の状態において、上下方向７が垂直方向に相当し、前後方向８及び左右方向９が水平方向に相当する。前後方向８及び左右方向９は、直交している。
【００３４】
［ランドセル１０の全体構成］
図１に示されるように、ランドセル１０は、概ね直方体形状の本体１１と、肩ベルト１２と、被せ蓋１３と、に大別される。ランドセル１０は、主要な素材として人工皮革が用いられている。また、リベット２９やオス型スナップボタン３１、メス型スナップボタン３２、金属製等の装飾具なども使用されている。ランドセル１０の意匠は多様であり、例えば、人工皮革の色や、装飾具の素材、色、及び形状は、多様に変更可能である。外観の統一感を図るために、本体１１及び被せ蓋１３に用いられる人工皮革は、同色であることが好ましい。
【００３５】
［本体１１及び肩ベルト１２］
図２に示されるように、本体１１は、上向きの開口２０を有する概ね直方体形状である。本体１１の内部空間は、教科書や筆箱などの学習用具などを収納可能な収容空間である。学習用具などは、開口２０を通じて、本体１１の内部空間に出し入れされる。
【００３６】
本体１１は、前面２１、右側面２２、左側面２３、後面２４、及び底面２５を有する。前面２１と後面２４とは、本体１１の内部空間を挟んで対向する位置にある。右側面２２と左側面２３とは、本体１１の内部空間を挟んで対向する位置にある。右側面２２は、前面２１の右側に位置し、左側面２３は、前面２１の左側に位置する。
【００３７】
本体１１の前面２１には、第１ポケット部１４が設けられている。第１ポケット部１４は、前面２１から前方へ突出した箱形状である。第１ポケット部１４は、前面２１の一部を覆っている。第１ポケット部１４は、上向きの開口２６を有する。開口２６は、周縁に芯などの補強部材が設けられているので、容易に変形しない。第１ポケット部１４は、前面２１との間に収容空間を形成する。第１ポケット部１４の収容空間には、開口２６を通じて、物が出し入れ可能である。
【００３８】
第１ポケット部１４の前面の下側部分には、第２ポケット部１９が設けられている。第２ポケット部１９は、第１ポケット部１４の前面から前方へ突出した箱形状である。第２ポケット部１９の上面及び両側面には、ファスナー３７が設けられている。ファスナー３７によって、第２ポケット部１９の上面及び両側面が開口されたり閉塞されたりする。第２ポケット部１９は、ファスナー３７によって側面まで開口されるので、開口が大きく前方へ拡がる。第２ポケット部１９の収容空間には、小物などが収容可能である。
【００３９】
本体１１の後面２４側には、肩ベルト１２が接続されている。肩ベルト１２は、左右方向９に分かれた一対が設けられている。本体１１の上端部分において、肩ベルト１２の一端が接続されている。本体１１の下端部分において、肩ベルト１２の他端が接続されている。本体１１の下端部分と、肩ベルト１２の他端とは、長さ調整が可能に接続されている。このような接続構成としては、公知の構成が採用される。
【００４０】
［被せ蓋１３］
被せ蓋１３は、本体１１の後面２４側の上端に接続されている。被せ蓋１３は、本体１１の開口２０及び前面２１を覆うことができる帯形状である。本体１１から延びる被せ蓋１３の延出端には、Ｙ字ベルト２８が連結されている。Ｙ字ベルト２８は、被せ蓋１３よりも左右方向９の寸法が小さいＹ字の帯形状であり、被せ蓋１３にＹ字の２箇所（Ｙ字の上側）が連結されており、延出方向の先端が１本に延びている。
【００４１】
Ｙ字ベルト２８の延出端には留め具２７が設けられている。留め具２７は、本体１１の底面２５に設けられた留め具（不図示）と係合する。留め具２７が底面２５側において係合することによって、図１に示されるように、被せ蓋１３が、本体１１の開口２０及び前面２１を覆う第１姿勢に保持される。留め具２７の係合が解除されると、図２に示されるように、被せ蓋１３が、本体１１の開口２０及び前面２１を露出する第２姿勢に姿勢変化可能となる。なお、被せ蓋１３は、例えば、本体１１の後面２４を構成する部材と一体に構成されてもよい。
【００４２】
［前締めベルト１５］
本体１１には、前締めベルト１５が設けられている。前締めベルト１５は、細長な帯形状であり、一対が本体１１にリベット２９によって適宜固定されている。一対の前締めベルト１５は、本体１１と同色の人工皮革を主な素材としている。
【００４３】
一方の前締めベルト１５は、本体１１の右側面２２から前方へ延びて前面２１に至り、前面２１において左向きへ延びている。つまり、一方の前締めベルト１５は、本体１１の右側面２２から前面２１に渡って延びている。他方の前締めベルト１５は、本体１１の左側面２３から前方へ延びて前面２１に至り、前面２１において右向きへ延びている。つまり、他方の前締めベルト１５は、本体１１の左側面２３から前面２１に渡って延びている。
【００４４】
一対の前締めベルト１５は、本体１１の前面２１において連結端部３０をそれぞれ有している。各連結端部３０は、本体１１の前面２１において、第１ポケット部１４の開口２６の下方であって、第１ポケット部１４の前面に位置する。各連結端部３０は、左右方向９に離れている。連結端部３０は、一対の前締めベルト１５のそれぞれにおいて、本体１１における位置が異なる他は同様の構成なので、一方の前締めベルト１５の連結端部３０の構成が説明される。
【００４５】
前締めベルト１５の連結端部３０は、細長な帯形状の人工皮革を折り返してリベット２９により留められた環状部分の内側に、リング３５が挿通されてなる。リング３５は金属製であり、その外径は、前締めベルト１５の上下方向７に沿った幅より大きい。
【００４６】
［着脱ベルト１６及び装飾部材１７］
一対の前締めベルト１５の各連結端部３０には、着脱ベルト１６が装着されている。着脱ベルト１６は、前締めベルト１５と同様の細長な帯形状である。着脱ベルト１６は、本体１１と同色の人工皮革を主な素材としている。
【００４７】
図３，４に示されるように、着脱ベルト１６の両側の各端部３３には、オス型スナップボタン３１及びメス型スナップボタン３２（留め具の一例）が間隔を空けて固定されている。各メス型スナップボタン３２は、各オス型スナップボタン３１より、着脱ベルト１６の端に近い。
【００４８】
図５に示されるように、着脱ベルト１６は、各端部３３が、各連結端部３０のリング３５にそれぞれ挿通され、オス型スナップボタン３１とメス型スナップボタン３２との間で後側へ折り返され、オス型スナップボタン３１とメス型スナップボタン３２とが係合されることによって、リング３５に連結されている。リング３５に連結された着脱ベルト１６は、本体１１の第１ポケット部１４の上方において、左右方向９に沿って延びている。
【００４９】
着脱ベルト１６の各端部３３より長手方向の中央側の中央部３４には、装飾部材１７が固定されている。装飾部材１７は、金属製のプレートであり、着脱ベルト１６に固定された状態で前方を向いている。各図には示されていないが、装飾部材１７には、例えばアルファベット文字が刻印されている。装飾部材１７に刻印されるアルファベット文字は、例えば、ランドセル１０の持ち主のイニシャルや、姓、名、愛称などを表す。
【００５０】
［付替装飾部材１８］
図６に示されるように、付替装飾部材１８は、着脱ベルト１６に替えて、前締めベルト１５の連結端部３０に連結されてもよい。付替装飾部材１８は、例えば、金属製またはプラスチック製のチェーン形状であって、両端にリングに連結可能なヒキワやカニカンなどの留め具が設けられている。また、チェーン形状の部分には、星形状やハート形状の更なる装飾部品が設けられてもよい。付替装飾部材１８の両端の留め具がリング３５に連結されることによって、付替装飾部材１８は、本体１１の第１ポケット部１４の上方において、概ね左右方向９に沿って延びている。
【００５１】
なお、付替装飾部材１８の形状や素材、個数は特に限定されず、例えば、本体１１と同色の人工皮革が使用されてもよいが、本体１１や、前締めベルト１５、着脱ベルト１６と同色の人工皮革が素材として用いられないことによって、様々な色や意匠のランドセル１０に共通して、同じ意匠の付替装飾部材１８を装着しても、違和感が少なくなるので好ましい。
【００５２】
［本実施形態の効果］
上記実施形態によれば、前締めベルト１５と連続する着脱ベルト１６に装飾部材１７が設けられるので、ランドセル１０の意匠性が優れる。また、着脱ベルト１６は、前締めベルト１５に対して着脱可能なので、ランドセル１０が購入されれば直ちに、着脱ベルト１６及び装飾部材１７以外を持ち帰ってもらうことができる。そして、着脱ベルト１６及び持ち主の名前などが刻印された装飾部材１７が、後日に購入者に送付されて、購入者によって、着脱ベルト１６及び装飾部材１７が前締めベルト１５に連結される。装飾部材１７に表された文字によって、子供が自分のランドセル１０を識別可能である。
【００５３】
また、前締めベルト１５の連結端部３０は、リング３５を有しており、着脱ベルト１６は、リング３５に着脱可能なので、仮に、着脱ベルト１６が外された状態で使用されたとしても、スナップボタンなどの留め具が露出されることがないので、ランドセル１０の意匠性が損なわれない。
【００５４】
また、着脱ベルト１６は、リング３５内に挿通されて折り返された端部３３が、オス型スナップボタン３１及びメス型スナップボタン３２によって留められているので、仮に着脱ベルト１６が前向きに引っ張られたとしても、オス型スナップボタン３１及びメス型スナップボタン３２が外れ難い。
【００５５】
また、本体１１の前面２１において、着脱ベルト１６の上方に第１ポケット部１４の開口が位置するので、着脱ベルト１６が、第１ポケット部１４への開口２６を覆い隠さない。これにより、開口２６を通じての第１ポケット部１４へ物を出し入れにおいて、着脱ベルト１６が障害になり難く、第１ポケット部１４の使い勝手がよい。
【００５６】
また、本体１１、前締めベルト１５、及び着脱ベルト１６が、同色の人工皮革を素材としているので、本体１１、前締めベルト１５、及び着脱ベルト１６に統一性が生じて、意匠性に優れる。
【００５７】
また、前締めベルト１５及び着脱ベルト１６が、左右方向９に対してシンメトリーに配置されるので、意匠性に優れる。
【００５８】
また、着脱ベルト１６が不要な購入者に対しては、前締めベルト１５に付替装飾部材１８を付けることによって、着脱ベルト１６が無くてもランドセル１０の意匠性が優れる。
【００５９】
また、付替装飾部材１８を、異なる色の本体１１や前締めベルト１５を有するランドセル１０に対して共通のものとしても意匠性が損なわれない。また、ランドセル１０の購入者に直ちに付替装飾部材１８を提供することができる。
【００６０】
［変形例］ 
以上、本発明の実施の形態を詳細に説明してきたが、前述までの説明はあらゆる点において本発明の例示に過ぎない。本発明の範囲を逸脱することなく種々の改良や変形を行うことができることは言うまでもない。実施形態に係るランドセル１０の各構成要素に関して、実施の形態に応じて、適宜、構成要素の省略、置換、及び追加が行われてもよい。また、ランドセル１０の各構成要素の形状及び大きさも、実施の形態に応じて、適宜、設定されてよい。例えば、以下の変更が可能である。
【００６１】
上記実施形態では、前締めベルト１５の連結端部３０にリング３５が設けられ、着脱ベルト１６はリング３５に連結されるが、前締めベルト１５と着脱ベルト１６との連結構造は、これに限定されない。例えば、前締めベルト１５の連結端部３０が、オス型スナップボタン３１及びメス型スナップボタン３２が設けられた折り返し可能な構造となっており、着脱ベルト１６の両端にリング３５が設けられてもよい。この場合、前締めベルト１５の連結端部３０が、着脱ベルト１６のリング３５に挿通されて折り返されて、オス型スナップボタン３１及びメス型スナップボタン３２により留められる。
【００６２】
また、オス型スナップボタン３１及びメス型スナップボタン３２は留め具の一例であり、その他の公知の留め具が用いられてもよい。また、連結端部３０に、ヒキワやカニカンなどの留め具が設けられて、着脱ベルト１６のリング３５が連結端部３０に連結されてもよい。また、リング３５の形状は、円環に限定されず、Ｄ型や角形であってもよい。
【００６３】
また、装飾部材１７に表される文字は、アルファベット文字に限定されず、平仮名や片仮名、漢字などでもよいことは勿論である。また、装飾部材１７の形状は特に限定されず、金属製のプレートに代えて、例えば、アルファベット文字の外形のプラスチック製品が、イニシャルや姓、名などに合わせて複数が組み合わされて、着脱ベルト１６に固定されたり挿通されたりしてもよい。
【符号の説明】
【００６４】
１０・・・ランドセル
１１・・・本体
１２・・・肩ベルト
１３・・・被せ蓋
１４・・・第一ポケット部
１５・・・前締めベルト
１６・・・着脱ベルト
１７・・・装飾部材
１８・・・付替装飾部材
２０・・・開口
２１・・・前面
２２・・・右側面（側面）
２３・・・左側面（側面）
２６・・・開口
３０・・・連結端部
３１・・・オス型スナップボタン（留め具）
３２・・・メス型スナップボタン（留め具）
３３・・・端部
３４・・・中央部
３５・・・リング
【図１】
2019180852.tif 000003
【図２】
2019180852.tif 000004
【図３】
2019180852.tif 000005
【図４】
2019180852.tif 000006
【図５】
2019180852.tif 000007
【図６】
2019180852.tif 000008